(57)【要約】【課題】展望用昇降路を昇降するかごの天井に設けた展望窓における視界に障害物がない展望用エレベーター装置を得る。【解決手段】開放した昇降路であったり、昇降路の周壁が透明硝子板で囲われたりして構成した展望用昇降路１を昇降するかごの少なくとも天井に展望窓を設け、また展望用昇降路１の上端部に保守作業台６を設ける。このような構成において、展望用昇降路１の上端部に設けられた保守作業台６に作業員が乗ってエレベーターの所要の保守作業を行う。そして、保守作業台６を展望用昇降路１の上端部に配置して、かごの天井に展望窓を設けた展望用エレベーター装置であっても、保守作業台６によってかごの天井展望窓からの視界が妨げられることがなく、天井展望窓による良好な展望作用を得る。【選択図】        図１
2004155557.tif 000002
【特許請求の範囲】
【請求項１】
少なくとも天井に展望窓が設けられて展望用昇降路を昇降するかごと、上記展望用昇降路の上端部に設けられた保守作業台とを備えた展望用エレベーター装置。
【請求項２】
少なくとも天井に展望窓が設けられて展望用昇降路を昇降するかごと、上記展望用昇降路の昇降路固定部に装備されて折り畳み自在に構成され、常時は折り畳まれて占有水平投影面積が少ない姿勢に保持された保守作業台とを備えた展望用エレベーター装置。
【請求項３】
少なくとも天井に展望窓が設けられて展望用昇降路を昇降するかごと、一端が上記かごの上梁に固定されて上記展望用昇降路の展望窓側へ突設された支持腕、多数本の狭幅の板材が並列に配置されてこれらの板材の長手縁部が相互に枢着されてなる可撓板状体及び上記上梁寄りに設けられて上記可撓板状体を巻き取る巻取り機構からなり常時は上記可撓板状体が上記巻取り機構に巻き取られた保守作業台とを備えた展望用エレベーター装置。
【発明の詳細な説明】
【０００１】
【発明の属する技術分野】
この発明は、少なくとも天井に展望窓が設けられたかごが展望用昇降路を昇降する展望用エレベーター装置に関する。
【０００２】
【従来の技術】
従来の展望用エレベーター装置においては、展望窓が設けられて展望用昇降路を昇降するかごの天井の上に保守作業台が設けられる。そして、この保守作業台に作業員が乗ってエレベーターの所要の保守作業が行われる。（例えば、特許文献１参照）。
【０００３】
【特許文献１】
実開昭６０−１６７０７５号公報（第１頁、第１図）
【０００４】
【発明が解決しようとする課題】
従来の展望用エレベーター装置では、かごの天井の上に保守作業台が設けられるので、かごの天井に展望窓が設けられた場合に保守作業台によって天井展望窓からの視界が妨げられて展望作用が阻害されるという問題点があった。
【０００５】
この発明は、かかる問題点を解消するためになされたものであり、天井に設けられた展望窓の視界に障害物がない展望用エレベーター装置を得ることを目的とする。
【０００６】
【課題を解決するための手段】
この発明に係る展望用エレベーター装置においては、少なくとも天井に展望窓が設けられて展望用昇降路を昇降するかごと、展望用昇降路の上端部に設けられた保守作業台とが設けられる。
【０００７】
【発明の実施の形態】
実施の形態１．
図１及び図２は、この発明の実施の形態の一例を示す図で、図１は展望用エレベーターの昇降路上端部を概念的に示す縦断面図、図２は図１の保守作業台の拡大斜視図である。展望用昇降路１が、周壁の一部を開放して構成された昇降路又は昇降路の周壁が透明硝子板によって囲われて形成される。そして、展望用昇降路１の一側の壁に乗場２が、他側の壁に展望窓３が設けられる。また、展望用昇降路１に案内レール４が立設される。
【０００８】
そして、図示が省略してあるが天井及び展望窓３に対応した壁に展望窓が設けられたかごが案内レール４に案内されて昇降する。また、案内レール４に固定されて展望用昇降路１の上端部に配置された受け台５が設けられて、受け台５に次に述べる保守作業台６が設置される。すなわち、保守作業台６は基部７が受け台５に固定されて、基部７から作業床８が展望用昇降路１の展望窓３側へ突設され、作業床８の周縁部に手摺９が立設される。
【０００９】
上記のように構成された展望用エレベーター装置において、展望用昇降路１の上端部に設けられた保守作業台６に作業員が乗ってエレベーターの所要の保守作業が行われる。このような構成において保守作業台６が展望用昇降路１の上端部に配置されるので、かごの天井に展望窓が設けられた展望用エレベーター装置であっても、保守作業台６によって天井展望窓の視界が妨げられることがない。したがって、天井展望窓からの良好な展望作用を得ることができる。
【００１０】
実施の形態２．
図３は、この発明の他の実施の形態の一例を示す展望用エレベーターの昇降路の要部縦断面図である。図において、前述の図１及び図２と同符号は相当部分を示し、乗場２の乗場ドア装置１０の上側に展望用昇降路１の壁面１１から展望用昇降路１内側に離れてフェッシャプレート１２が設けられる。また、乗場２出入口の上方における展望用昇降路１の壁面１１からなる昇降路固定部１３とフェッシャプレート１２との間に収納室１４が形成される。そして、折り畳み自在に構成された保守作業台１５が折り畳まれて収納室１４に装備される。
【００１１】
上記のように構成された展望用エレベーター装置において、保守作業台１５が展望用昇降路１の昇降路固定部１３に装備され、常時は折り畳まれて水平投影面における面積が減少した姿勢に保持されて収納室１４に配置される。そして、保守作業時に保守作業台１５が収納室１４から伸展されて水平姿勢に配置され、保守作業台１５に作業員が乗ってエレベーターの所要の保守作業が行われる。
【００１２】
このような構成において、常時は保守作業台１５が折り畳まれて収納室１４内に配置されるので、かごの天井に展望窓が設けられた展望用エレベーター装置であっても、保守作業台１５によって天井展望窓の視界が妨げられることがない。したがって、天井展望窓からの良好な展望作用を得ることができる。
【００１３】
実施の形態３．
図３の実施の形態において、昇降路固定部１３が展望用昇降路１に設けられた中間ビームからなるものであり、この中間ビームからなる昇降路固定部１３に折り畳み自在に構成された保守作業台１５が装備されて、常時は折り畳まれて水平投影面における面積が減少した姿勢に保守作業台１５を保持した構成であっても、図３の実施の形態における作用を得ることができる。
【００１４】
実施の形態４．
図４も、この発明の他の実施の形態の一例を示す展望用エレベーターの昇降路の要部縦断面図である。なお、図４の他は前述の図１及び図２と同様に展望用エレベーター装置が形成される。図において、展望用昇降路１の一側の壁に乗場２が、また他側の壁に展望窓３が設けられ、また展望用昇降路１に案内レール４が立設される。そして、天井及び展望窓３に対応した壁にかご展望窓１６が設けられたかご１７が案内レール４に案内されて昇降する。
【００１５】
また、かご１７の上梁１８に次に述べる保守作業台１９が設けられる。すなわち保守作業台１９は、一端が上梁１８に固定されて展望用昇降路１の展望窓３側へ突設された支持腕２０、多数本の狭幅の板材が並列に配置されこれらの板材の長手縁部が相互に枢着されてなる可撓板状体２１及び上梁１８寄りに設けられて可撓板状体２１を巻き取る巻取り機構２２によって構成されている。
【００１６】
上記のように構成された展望用エレベーター装置において、保守作業台１９の可撓板状体２１が常時は巻取り機構２２によって巻き取られてかご１７の上梁１８寄り位置に収容される。そして、保守作業時に保守作業台１９の可撓板状体２１が伸展されて支持腕２０の上に水平姿勢に配置されて、保守作業台１９すなわち伸展された可撓板状体２１に作業員が乗ってエレベーターの所要の保守作業が行われる。
【００１７】
このような構成において、常時は保守作業台１９が巻き取られてかご１７の上梁１８寄り位置に配置されるので、かご１７の天井にかご展望窓１６が設けられた展望用エレベーター装置であっても、保守作業台１９によって天井展望窓の視界が妨げられることがない。したがって、天井展望窓からの良好な展望作用を得ることができる。
【００１８】
【発明の効果】
この発明は以上説明したように、少なくとも天井に展望窓が設けられて展望用昇降路を昇降するかごと、展望用昇降路の上端部に設けられた保守作業台とを設けたものである。
【００１９】
このような構成において、展望用昇降路の上端部に設けられた保守作業台に作業員が乗ってエレベーターの所要の保守作業が行われる。そして、保守作業台が展望用昇降路の上端部に配置されるので、かごの天井に展望窓が設けられた展望用エレベーター装置であっても、保守作業台によって天井展望窓の視界が妨げられることがなく、天井展望窓からの良好な展望作用を得る効果がある。
【００２０】
また、この発明は以上説明したように、展望用昇降路の昇降路固定部に折り畳み自在に構成された保守作業台が装備される。そして、常時は折り畳まれて水平投影面における面積が減少した姿勢に保持される。これにより、かごの天井に展望窓が設けられた展望用エレベーター装置であっても、保守作業台によって天井展望窓の視界が妨げられることがなく、天井展望窓からの良好な展望作用を得る効果がある。
【００２１】
また、この発明は以上説明したように、かごの上梁に可撓板状体からなる保守作業台が装備される。そして、常時は可撓板状体が巻き取られてかごの上梁寄り位置に保持される。これにより、かごの天井に展望窓が設けられた展望用エレベーター装置であっても、保守作業台によって天井展望窓の視界が妨げられることがなく、天井展望窓からの良好な展望作用を得る効果がある。
【図面の簡単な説明】
【図１】この発明の実施の形態１を示す図で、展望用エレベーターの昇降路上端部を概念的に示す縦断面図。
【図２】図１の保守作業台の拡大斜視図。
【図３】この発明の実施の形態２を示す図で、展望用エレベーターの昇降路の要部縦断面図。
【図４】この発明の実施の形態４を示す図で、展望用エレベーターの昇降路の要部縦断面図。
【符号の説明】
１  展望用昇降路、３  展望窓、６  保守作業台、１３  昇降路固定部、１５保守作業台、１６  かご展望窓、１７  かご、１８  上梁、１９  保守作業台、２０  支持腕、２１  可撓板状体、２２  巻取り機構。
【図１】
2004155557.tif 000003
【図２】
2004155557.tif 000004
【図３】
2004155557.tif 000005
【図４】
2004155557.tif 000006